(57)【要約】【課題】元上竿の元竿に対する周方向のずれを容易に修正しうるズーム式の釣竿を提供する。【解決手段】元竿と、該元竿に振出式に連結された元上竿とを有し、前記元上竿が前記元竿に対して穂先側に延出され係止される延伸状態と、前記元竿に対して竿尻側に挿入され係止される収納状態とを取りうるように構成され、前記元竿にリール装着部が備えられ、前記元上竿に、釣糸を通す釣糸ガイドが備えられてなる釣竿であって、前記元竿の竿尻側端部には、前記収納状態にて、前記元上竿の竿尻側端部と接合する尻栓が備えられてなり、前記収納状態にて、前記釣糸ガイドを前記リール装着部と同方位位置に規制するように、前記元上竿の竿尻側端部及び前記尻栓の一方に凸部が備えられ、他方に該凸部を所定方位に誘導する斜面を備えた凹部が備えられてなることを特徴とする。【選択図】　図２
2004008009.tif 000002
【特許請求の範囲】
【請求項１】
元竿（１）と、該元竿（１）に振出式に連結された元上竿（２）とを有し、前記元上竿（２）が前記元竿（１）に対して穂先側に延出され係止される延伸状態と、前記元竿（１）に対して竿尻側に挿入され係止される収納状態とを取りうるように構成され、前記元竿（１）にリール装着部（５）が備えられ、前記元上竿（２）に、釣糸を通す釣糸ガイド（１４）が備えられてなる釣竿であって、
前記元竿（１）の竿尻側端部（１ａ）には、前記収納状態にて、前記元上竿（２）の竿尻側端部（２ａ）と接合する尻栓（６）が備えられてなり、
前記収納状態にて、前記釣糸ガイド（１４）と前記リール装着部（５）とを竿の同方位位置に規制するように、前記元上竿（２）の竿尻側端部（２ａ）及び前記尻栓（６）の一方に凸部（１７）が備えられ、他方に該凸部（１７）を所定方位に誘導する斜面（１９）を備えた凹部（１８）が備えられてなることを特徴とする釣竿。
【請求項２】
前記収納状態にて、前記釣糸ガイド（１４）と前記リール装着部（５）とが竿の同方位位置に規制された状態で前記凹部（１８）と前記凸部（１７）とが嵌合するように構成されてなる請求項１記載の釣竿。
【請求項３】
前記釣糸ガイド（１４）が、元上竿（２）の竿管の外側に設けられてなる請求項１又は２記載の釣竿。
【請求項４】
前記元竿（１）の穂先側端縁部には、前記収納状態にて、前記元上竿（２）の釣糸ガイド（１４）を収容しうる又は前記釣糸ガイド（１４）と連続しうる元竿釣糸ガイド（４）が備えられてなる請求項３記載の釣竿。
【発明の詳細な説明】
【０００１】
【発明の属する技術分野】
本発明は、釣竿に関し、特に、元竿と、該元竿に振出式に連結された元上竿とを有する振出式の釣竿に関する。
【０００２】
【従来の技術】
従来、この種の釣竿としては、前記元上竿が前記元竿に対して穂先側に延出され係止される延伸状態と、前記元竿に対して竿尻側に挿入され係止される収納状態とを取りうるように構成されてた所謂ズーム式の釣竿が知られている。
【０００３】
斯かる釣竿によれば、必要に応じて、元竿に対して元上竿を穂先側に延出させて延出状態としたり、元竿に対して元上竿を挿入して収納状態としたりして、長さを変更して釣りを行うことができると言う利点を有している。
【０００４】
【発明が解決しようとする課題】
ところで、通常、釣竿は、装着されたリールに対して、竿の周の同方位位置に釣糸ガイドが配置され使用されるが、この種の釣竿に於いては、延出状態にしたり収納状態にしたりしているうちに、元竿に対して元上竿が周方向にずれる（即ち、リールと釣糸ガイドが竿の外側の同方位で無くなる）ことがある。
このような場合、例えば、元上竿の竿管の外側に釣糸ガイドが設けられた釣竿（アウターガイドタイプ）に於いては、元上竿のずれによって、釣糸が該釣糸ガイドを通る際に屈曲することとなり、引き出し時や巻取時における釣糸の釣糸ガイドを通る際の摺動抵抗が増大することになる。
また、釣糸を竿管内側に通す釣糸ガイド（釣糸導入口）が元上竿に備えられた中通し竿に於いても、リールから延びている釣糸が釣糸導入口で大きく屈曲することとなるため、同様に、釣糸の釣糸導入口を通る際の摺動抵抗が増大することになる。
【０００５】
そこで、本発明は、上記従来の問題点に鑑み、元上竿の元竿に対する周方向のずれを容易に修正しうるズーム式の釣竿を提供することを課題とする。
【０００６】
【課題を解決するための手段】
上記課題を解決すべく、本発明に係る釣竿は、元竿と、該元竿に振出式に連結された元上竿とを有し、前記元上竿が前記元竿に対して穂先側に延出され係止される延伸状態と、前記元竿に対して竿尻側に挿入され係止される収納状態とを取りうるように構成され、前記元竿にリール装着部が備えられ、前記元上竿に、釣糸を通す釣糸ガイドが備えられてなる釣竿であって、
前記元竿の竿尻側端部には、前記収納状態にて、前記元上竿の竿尻側端部と接合する尻栓が備えられてなり、
前記収納状態にて、前記釣糸ガイドを前記リール装着部と同方位位置に規制するように、前記元上竿の竿尻側端部及び前記尻栓の一方に凸部が備えられ、他方に該凸部を所定方位に誘導する斜面を備えた凹部が備えられてなることを特徴とする。
斯かる構成からなる釣竿に於いては、延伸状態から収納状態にした際に、元上竿の竿尻側端部及び尻栓の一方に備えられた凸部が、相対的に、凹部に備えられた斜面を滑って所定方位に誘導されることにより、リール装着部と釣糸ガイドとが、元竿にもリール装着部と同方位位置に釣糸ガイドが備えられる場合にあっては、リール装着部と元竿及び元上竿の釣糸ガイドとが相対的に同方位に位置するように規制される。
従って、単に延伸状態から収納状態にするのみで、容易に周方向のずれを修正することができる。
尚、本発明の収納状態とは、元上竿が元竿に略完全に挿入されて係止された状態のみならず、延伸状態から元上竿が部分的に元竿内に挿入されて元上竿が元竿に係止された状態をも含むものである。
【０００７】
本発明に於いては、前記収納状態にて、前記釣糸ガイドと前記リール装着部とが竿の同方位位置に規制された状態で前記凹部と前記凸部とが嵌合するように構成されてなるものが好ましい。
斯かる釣竿に於いては、収納状態にて使用している場合に、不用意に元上竿が元竿に対して周方向にずれる虞が無い。
【０００８】
本発明に於いては、前記釣糸ガイドが、元上竿の竿管の外側に設けられてなるものに好適であり、特に、前記元竿の穂先側端縁部に、前記収納状態にて、前記元上竿の釣糸ガイドを収容しうる又は前記釣糸ガイドと連続しうる元竿釣糸ガイドが備えられてなるものにより好適である。
斯かる釣竿に於いては、延伸状態から収納状態にする際に、元上竿に備えられた釣糸ガイドと元竿釣糸ガイドとを周方向に位置合わせをしなくとも、容易に収納状態にて、元上竿に備えられた釣糸ガイドを元竿釣糸ガイド内に収容し又は元上竿に備えられた釣糸ガイドを元竿釣糸ガイドに連続させることができる。
【０００９】
【発明の実施の形態】
以下、本発明の実施の形態について、図面を参照しつつ説明する。
図１（イ）（ロ）に示すように、本実施形態の釣竿は、最も竿尻側に配置される元竿１と、該元竿１より一つ穂先側に配置され、該元竿１に連結される元上竿２と、該元上竿２に順次連結される複数の中竿３と、最も穂先側の中竿３に連結される穂先竿７とを備えて構成されている。
これらの各竿は、それぞれ中空管状の竿管２１、２２、２３、２４、２５を備えて構成されてなり、元竿１を除く各竿の竿管２２・・・は、順次竿尻側の竿の竿管内部に挿入及び引き出し自在に連結されている。即ち、振出式に連結されている。
各竿の竿管２１・・・は、穂先側に向けて小径化する先細りテーパー状に形成され、穂先側に連結された竿管２２・・・の脱抜が防止されている。
尚、各竿管２１・・・は、それぞれ炭素繊維又はガラス繊維等の強化繊維に合成樹脂を含浸させたプリプレグを用いて成型し、硬化させるべく焼成することにより形成されている。
【００１０】
前記元竿１は、リール装着部５を備えて構成されている。詳しくは、リールを装着するリール装着部５を有する筒状のリールシート８が竿管２１に外嵌装着されて構成されている。更に、前記元竿１には、穂先側端縁部１ｂにて釣糸ガイド４（以下、元竿釣糸ガイドという場合がある）が備えられている。この元竿釣糸ガイド４は、釣糸を通すガイドリング４ａと該ガイドリング４ａを竿管２１に固定する本体部４ｂとを備え、該ガイドリング４ａが竿管２１の径方向外側に位置するように備えられている。
そして、前記リール装着部５と前記元竿釣糸ガイド４とは、竿管２１の外周の周方向の同方位位置に配置されている。即ち、竿管２１の軸からみて互いに同一径方向に配置されている。
更に、前記元竿１は、竿尻側端部１ａに尻栓６が備えられて構成されている。即ち、竿管２１の竿尻側の端部に尻栓６が螺入されて構成されている。
【００１１】
前記元上竿２にも、穂先側端部２ｂにて釣糸ガイド１４（以下、元上釣糸ガイドという場合がある）が備えられている。この元上釣糸ガイド１４は、元竿釣糸ガイド４と同様に釣糸を通すガイドリング１４ａと該ガイドリング１４ａを竿管２２に固定する本体部１４ｂとを備え、該ガイドリング１４ａが竿管２２の径方向外側に位置するように備えられている。
尚、この元上釣糸ガイド１４の本体部１４ｂは、竿尻側に屈曲して形成されている。
【００１２】
また、本実施形態の釣竿は、図１（イ）に示すように、元上竿２が元竿１に対して穂先側に延出され係止される延伸状態と、図１（ロ）に示すように、前記元竿１に対して竿尻側に挿入され係止される収納状態とを取りうるように構成されてなる。この収納状態に於いて、前記釣竿は、図１（ロ）に示すように、元上釣糸ガイド１４のガイドリング１４ａが元竿釣糸ガイド４のガイドリング４ａに収容されるように（又は連続するように）構成されている。
斯かる構成により、釣竿を短くして（収納状態にして）使用する場合に、長さに対して必要以上の釣糸ガイドの存在により、釣糸を巻取り又は送り出す際の摺動抵抗の増大を抑制しうる。
【００１３】
図２は、元竿１の竿尻側端部１ａを示す一部破断を含む概略図、即ち、尻栓６の一部及び各竿管２１、２２が切断された概略図であり、（イ）は、延伸状態から収納状態に移行する過程であって、収納状態になる直前の状態を示し、（ロ）は、収納状態を示す。
図２に示すように、前記元竿１の竿尻側内周面には、元竿１の竿尻側に挿入された元上竿２を挿入された状態で係止する係止部１１が備えられている。この係止部１１は、環状に形成されると共に元竿１の竿管２１の内周面から内方に凸出するように備えられ、該係止部１１の内周面にて元上竿２の竿管２２の外周面に接合することにより元上竿２を係止しうるように構成されている。
そして、この係止部１１により、釣竿は、元上竿２が元竿１に対して竿尻側に挿入され係止される収納状態を取りうる構成とされている。
【００１４】
また、図２に示すように、元上竿２の竿尻側端部２ａには、元上竿２の竿管２２の竿尻側開口を閉塞する元上尻栓１６が竿管２２に固定された状態で備えられ、該元上尻栓１６の竿尻側には、凸部１７が備えられている。
一方、元竿１の竿尻側端部１ａに備えられた尻栓６には、収納状態にて元上釣糸ガイド１４とリール装着部５とを竿の周方向の同方位位置に規制するように、前記凸部１７を相対的に所定方位に誘導する斜面１９を備えた凹部１８が備えられている。
即ち、凸部１７が凹部１８によって相対的に所定方位に誘導された際に、前記元上釣糸ガイド１４が、リール装着部５と同方位位置に配置されるように凸部１７と元上釣糸ガイド１４の位置関係が予め定められてなり、凸部１７が凹部１８によって所定方位に誘導されることにより、収納状態にて元上釣糸ガイド１４とリール装着部５とが相対的に釣竿の同方位位置に規制されように構成されている。
【００１５】
詳しく説明すると、図２（イ）の状態から（ロ）の収納状態に元上竿２を押し込むと、凸部１７の頂部側が凹部１８の斜面１９を滑りつつ周方向（図２に於いてはＸ方向）に相対回転し、凸部１７が軸から見て周方向の所定方位に向くように誘導される。
このとき、元上竿２が元竿１に対して周方向Ｘに相対回転し、元上釣糸ガイド１４がリール装着部５と相対的に同方位位置に誘導され、収納状態となる。
尚、本実施形態に於いて、前記凸部１７は、円柱体を軸方向に対して傾斜する方向に切断した凸形状に形成され、前記凹部１８は、該凸部１７に嵌合する形状に形成されてなる。
【００１６】
本実施形態の釣竿は、上記の如く構成されてなるので、延伸状態から元上竿２を元竿１内に押し込むという単純な作業により、リール装着部５及び元竿釣糸ガイド４と元上釣糸ガイド１４とが釣竿の同方位に配列しつつ収納状態とすることができると共に、釣糸ガイド４、１４の周方向の位置を合わせることなく、元上釣糸ガイド１４を元竿釣糸ガイド４に収容等することができる。
【００１７】
尚、本実施形態の釣竿は、上記の如く構成されたが、本発明に於いては上記構成に限定されず、適宜設計変更可能である。
例えば、本実施形態に於いて、元上竿２には、竿管の外側に設けられた釣糸ガイド１４を備えたものが例示されたが、図３に示すように、釣竿が中通し竿の場合において、リール３０から引き出された釣糸Ｌを竿管２２内に導入すべく、竿管２２内外を連通するように構成されてなる釣糸ガイド１４が備えられてなる場合であっても本発明の意図する範囲内である。
【００１８】
また、本実施形態に於いては、元上竿２に元上尻栓１６が備えられ、該元上尻栓１６に、上記の如く所定方位に誘導される凸部１７が備えられたが、本発明に於いては、図４に示すように、元上竿２の竿管２２の竿尻側を軸方向に対して傾斜する方向に切断する等、竿管２２の竿尻側端部２ａ自身の形状を凸形状とすることにより、元上竿２２の竿尻側端部２ａに凸部１７が備えられる場合であっても本発明の意図する範囲内である。
【００１９】
更に、本実施形態の釣竿は、元竿１と該元竿１の一つ穂先側に配置される元上竿２と、複数の中竿３、更に、穂先竿７とを備えて構成されたが、中竿３を備えない場合であって、更に、元上竿２が穂先竿７となる場合であっても本発明の意図する範囲内である。
【００２０】
【発明の効果】
以上のように、本発明に係る釣竿は、単に延伸状態から収納状態にする際に、元上竿の周方向のずれを容易に修正することができるという利点を有する。
【図面の簡単な説明】
【図１】一実施形態の釣竿を示す概略側面図であり、
（イ）は、延伸状態を示し、
（ロ）は、収納状態を示す。
【図２】元竿及び元上竿の竿尻側端部を示す一部破断を含む概略図であり、
（イ）は、延伸状態から収納状態に移行する過程であって、収納状態の直前状態を示し、
（ロ）は、収納状態を示す。
【図３】他の実施形態の釣竿を示す概略側面図。
【図４】他の実施形態収納状態における元竿及び元上竿の竿尻側端部を示す軸方向切断概略断面図。
【符号の説明】
１・・・元竿、１ａ・・・元竿の竿尻側端部、２・・・元上竿、２ａ・・・元上竿の竿尻側端部、５・・・リール装着部、６・・・尻栓、１４・・・元上釣糸ガイド、１７・・・凸部、１８・・・凹部、１９・・・斜面
【図１】
2004008009.tif 000003
【図２】
2004008009.tif 000004
【図３】
2004008009.tif 000005
【図４】
2004008009.tif 000006